(57)【特許請求の範囲】
【請求項１】
締結板に設けられた少なくとも一つ以上の固定ホールと、
前記固定ホールに挿入されて回動及びチルティングが可能な回動部と、
前記回動部に結合され前記回動部のチルティング及び回動によって配光が調節される光モジュール部と、
前記回動部と前記光モジュール部を連結する調整軸部と、を含み、
前記締結板における前記光モジュール部から離れる方向が上方向であり、前記締結板における前記光モジュール部に向かう方向が下方向であり、
前記調整軸部は、前記調整軸部の上部側を手で操作して前記光モジュール部をチルティング及び回動させて光モジュール部の配光を調節することを特徴とする任意配光が可能な灯器具。
【請求項２】
前記回動部は球形であり、前記回動部を固定または回動及びチルティングが可能な状態に固定する固定部と、をさらに含むことを特徴とする請求項１に記載の任意配光が可能な灯器具。
【請求項３】
前記固定ホールのエッジの前記回動部と接触される接触部は、前記回動部の下向離脱を防止し、回動及びチルティングが容易であるように上側がより広い湾曲面であることを特徴とする請求項２に記載の任意配光が可能な灯器具。
【請求項４】
前記固定ホール周辺の前記締結板には結合溝が設けられており、その結合溝の内側には螺子山が設けられ前記固定部が上向または下向へ移動しながら、前記回動部を回動及びチルティングが可能な状態または不可能な状態に調整することを特徴とする請求項２に記載の任意配光が可能な灯器具。
【請求項５】
前記結合溝の底面には、前記固定ホールの底面部から外側へ行くほど口径が広くなるように傾斜した傾斜面が設けられることを特徴とする請求項４に記載の任意配光が可能な灯器具。
【請求項６】
前記固定ホールの周辺の前記締結板の一部には、内側に螺子山が設けられた円筒形の結合部が設けられ、前記固定部が上向または下向へ移動しながら前記回動部を回動及びチルティングが可能な状態または不可能な状態に調整することを特徴とする請求項２に記載の任意配光が可能な灯器具。
【請求項７】
前記固定部は、
前記螺子山と噛合される螺子構造が外径に設けられた挿入締結部と、
前記挿入締結部の上部側に設けられ、上部面が中央へ行くほど段差が低くなる傾斜面を有するボディーと、
前記ボディーの外径部両端に結合され上部側に高く形成されて作業者が容易に手で回転させることができる取手部と、
を含むことを特徴とする請求項６に記載の任意配光が可能な灯器具。
【請求項８】
前記挿入締結部の底面には下部段差部が設けられており、
前記下部段差部と前記回動部との間に位置するオーリングをさらに含むことを特徴とする請求項７に記載の任意配光が可能な灯器具。
【請求項９】
前記調整軸部は、前記回動部の上部に延びたことを特徴とする請求項２に記載の任意配光が可能な灯器具。
【請求項１０】
前記調整軸部は、電線の連結のために中空されたものであり、側面一部に前記電線を引き出す引出孔が設けられることを特徴とする請求項２又は９に記載の任意配光が可能な灯器具。
【請求項１１】
前記引出孔は長孔であることを特徴とする請求項１０に記載の任意配光が可能な灯器具。
【請求項１２】
前記回動部は球形であり、上部一部に前記回動部を容易に回動させるための凹凸パターン部が設けられることを特徴とする請求項２に記載の任意配光が可能な灯器具。
【請求項１３】
側面に螺子ホールが設けられた円筒形の結合部が前記固定ホール周辺の前記締結板の一部に位置し、前記固定部は、前記固定ホールに回転可能に挿入された調整ボルトであることを特徴とする請求項３に記載の任意配光が可能な灯器具。
【請求項１４】
前記回動部は、
前記締結板に設けられた固定ホールに上部一部が上向に挿入され、前記締結板に平行した方向に回転することができる第１の回転部と、
前記第１の回転部の下段部に回転可能に結合され、前記締結板に直交する方向に回転することができ、下段に前記光モジュール部が固定される第２の回転部と、
を含むことを特徴とする請求項１に記載の任意配光が可能な灯器具。
【請求項１５】
前記第１の回転部は、
前記締結板の固定ホールに挿入される挿入管部と、
前記挿入管部の下部に位置し、安定した回転が可能であるように内側でボルトが前記締結板に締結され固定または回転可能な状態になるようにする第１のガイド溝と、底面に回転程度を確認することができる第１の目盛り部が設けられた回転板と、
前記回転板の下部に固定され、前記第２の回転部が前記締結板に対して直交方向に回動できるように固定し、前記第２の回転部の回転程度を確認することができる第２の目盛り部が設けられた連結部と、
を含むことを特徴とする請求項１４に記載の任意配光が可能な灯器具。
【請求項１６】
前記ボルトには、前記第１の目盛り部を指示する第１のインジケータが設けられることを特徴とする請求項１５に記載の任意配光が可能な灯器具。
【請求項１７】
前記挿入管部を通じて引入された電線は、前記回転板の内部を通じて前記連結部に挿入されて、前記連結部の前記第２の回転部と接する面で突出されるガイド突出部を通じて引出しされ、前記第２の回転部に引入されることを特徴とする請求項１５に記載の任意配光が可能な灯器具。
【請求項１８】
前記第２の回転部は、
前記連結部に接して、前記連結部に対して回転する回転中心から前記連結部側へ突出され、前記連結部の締結孔に挿入される締結突出部を具備する回動連結部と、
前記回動連結部の下部に結合され底面に前記光モジュール部が固定される固定板と、
を含むことを特徴とする請求項１７に記載の任意配光が可能な灯器具。
【請求項１９】
前記回動連結部は、
前記ガイド突出部が挿入され、前記ガイド突出部から引出しされた前記電線が引入される弧形の第２のガイド溝と、
前記連結部の第２の目盛り部を指示して正確な回転程度を示す第２のインジケータと、
をさらに含むことを特徴とする請求項１８に記載の任意配光が可能な灯器具。
【請求項２０】
前記回動連結部には、前記回動を制限する回動制限部が設けられることを特徴とする請求項１８に記載の任意配光が可能な灯器具。
【請求項２１】
前記回動制限部は、板状であり、前記回動連結部と前記連結部側に各々突出される折曲部を含むことを特徴とする請求項２０に記載の任意配光が可能な灯器具。
【請求項２２】
前記固定板の底面は、
前記第２のガイド溝と連通され前記電線が前記光モジュール部に連結されるようにする通孔部と、
前記通孔部と前記固定板のエッジを連結する排水流路と、
をさらに含むことを特徴とする請求項１９に記載の任意配光が可能な灯器具。
【発明の詳細な説明】
【技術分野】
【０００１】
本発明は、任意配光が可能な灯器具に関し、より詳細では個別灯の配光をユーザ任意に調整することができる任意配光が可能な灯器具に関する。
【背景技術】
【０００２】
最近、環境部では、‘人工照明による光公害防止法’を公表した。この法は、２０１３年２月１日から施行される。主な内容は、人工照明の誤用から国民健康を守り、生態系に及ぼす危害予防のためのものであり、建築物照明と電光板、各種基盤施設の照明の光放射許容基準を定めて、過度の光と侵入光とを管理するためのものである。
【０００３】
これは、夜間に都市基盤施設の照明、建築物の照明、電光板などの光が周辺建物内に侵入する侵入光が発生しないようにするためには、道路の街灯やその他の照明は、光放射許容基準を守るべきと共に光放射の方向である配光の調節が必要である。
【０００４】
従来のＬＥＤなどを利用した照明の配光は、韓国公開特許第２０１１−０１０８２６９号公報のように照明モジュールの配光を広げる構造に関するものであるか、韓国登録特許第１０−０９６１６７６号公報のようにレンズを使用して配光を調節する方法に対して提案された発明などがある。
【０００５】
しかしながら、照明モジュールの配光を広げる構造は、その配光面積の増加によって侵入光が増加して光公害を加重させる問題点があり、レンズを使用して配光を調節する技術は、レンズの使用により光効率が低下し、必要によって適当なレンズに交替すべき不便さと照明ごとに適合したレンズを作らなければならない問題点とがあった。
【先行技術文献】
【特許文献】
【０００６】
【特許文献１】韓国公開特許第２０１１−０１０８２６９号公報
【特許文献２】韓国登録特許第１０−０９６１６７６号公報
【発明の概要】
【発明が解決しようとする課題】
【０００７】
上記のような問題点を勘案した本発明が解決しようとする技術的な課題は、周辺の環境によって任意に配光を調節することができる任意配光が可能な灯器具を提供することにある。
【課題を解決するための手段】
【０００８】
上記のような課題を解決するための本発明の任意配光が可能な灯器具は、締結板に設けられた少なくとも一つ以上の固定ホールと、上記固定ホールに挿入されて回動及びチルティングが可能な回動部と、上記回動部に結合され上記回動部のチルティング及び回動によって配光が調節される光モジュール部と、を含む。
【発明の効果】
【０００９】
本発明の任意配光が可能な灯器具は、複数の光モジュールを個別的に配光を調節することができ、その配光を調節した光モジュールの位置を固定させることができる固定手段を設けて灯器具の設置位置とは関係がなく、任意に配光の調節が可能であり、周辺の建物内に侵入する侵入光が発生しないようにすることができる効果がある。
【００１０】
すなわち、本発明の任意配光が可能な灯器具は、設置者が任意に配光を調節することができ、照明が必要な領域と照明が不要な領域を区分して照明するようになることによって、光公害の発生を防止することができる効果がある。
【図面の簡単な説明】
【００１１】
【図１】本発明の望ましい実施形態による任意配光が可能な灯器具の分解斜視図である。
【図２】本発明の望ましい実施形態による任意配光が可能な灯器具の結合状態の一部断面図である。
【図３】上記のような配光の調節を通じて任意配光が調節された一実施状態の本発明の任意配光が可能な灯器具の底面図である。
【図４】本発明の他の実施形態による任意配光が可能な灯器具の一部断面図である。
【図５】本発明の他の実施形態による任意配光が可能な灯器具の一部断面図である。
【図６】本発明の他の実施形態による任意配光が可能な灯器具の一部断面図である。
【図７】本発明の他の実施形態による任意配光が可能な灯器具の構成図である。
【図８】図７の側断面図である。
【図９】図７における回動部である第１の回転部と第２の回転部の分解斜視図である。
【図１０】図９における第１の回転部の底面図である。
【図１１】図９における第１の回転部の側面である。
【図１２】図９における第２の回転部の底面図である。
【図１３】本発明に適用される回動制限部の一実施構成図である。
【図１４】本発明に適用される回動制限部の他の実施構成図である。
【図１５】図１４におけるＡ−Ａ断面図である。
【発明を実施するための形態】
【００１２】
以下、本発明の好ましい実施形態による任意配光が可能な灯器具に対して添付した図面を参照して詳細に説明する。
【００１３】
図１は、本発明の望ましい実施形態による任意配光が可能な灯器具の分解斜視図である。
【００１４】
図１を参照すると、本発明の望ましい実施形態による任意配光が可能な灯器具は、上部被覆１１を有する函体１０と、函体１０の下部側に配置される複数の光モジュール部２０と、光モジュール部２０を函体１０の底部１２に回動及びチルティング可能に固定する回動部３０と、回動部３０と光モジュール部２０とを連結して回動部３０の回動によって光モジュール部２０を回動及びチルティングさせる調整軸部４０と、回動部３０の回動とチルティングにより光モジュール部２０の配光が調整された状態で回動部３０を固定する固定部５０と、を含む。
【００１５】
説明されない符号１９は、函体１０と上部被覆１１との間に位置するシーリング部である。
【００１６】
上部被覆１１は、開閉可能であるように函体１０の側面部にヒンジ結合されたものであり、その函体１０の底部１２には、球形の回動部３０の下部一部が挿入される固定ホール１３が設けられている。
【００１７】
回動部３０の直径は、固定ホール１３の直径に比べてより大きく、したがって、回動部３０が固定ホール１３を下部側である函体１０の外部に離脱されることを防止することができる。
【００１８】
図２は、本発明の望ましい実施形態による任意配光が可能な灯器具の結合状態の一部断面の構成図である。
【００１９】
図示したように固定ホール１３のエッジ、すなわち、回動部３０と接触される接触部は、回動部３０の下部側を支持し、回動部３０が回動及びチルティングが可能であるように上側がより広い状態の湾曲面を有する。
【００２０】
また、固定ホール１３の周辺の底部１２には、他の領域の底部１２より低い結合溝１４が設けられており、その結合溝１４の内側には、螺子山が設けられ、固定部５０が回転する方向によって、上方または下方へ移動しながら、回動部３０に接触解除または接触される構造を有することができる。
【００２１】
このような結合溝１４の形態は、多様に変形でき、このような変形例によって固定部５０も多様な形態で変形実施可能である。このような他の例は、以下により詳細に説明する。
【００２２】
結合溝１４の底面部の形状は、光モジュール部２０のチルティング角度を限定するのに適当に固定ホール１３の底面部から外側へ行くほど口径が広くなるように傾斜した傾斜面１５が設けられた構造である。
【００２３】
このような構造で、函体１０を設置した後、作業者は上部被覆１１を開いて結合溝１４に結合された固定部５０を外して回動部３０がチルティング及び回動が可能な状態になるようにする。
【００２４】
調整軸部４０は、図２に示したように回動部３０を上下に貫通して上記下部側は光モジュール部２０に連結され、上部側は回動部３０の上部側に露出され函体１０の内側に位置する。
【００２５】
調整軸部４０の上部側を手で操作して光モジュール部２０をチルティング及び回動させて各光モジュール部２０の配光を調節することができる。
【００２６】
付加的に、調整軸部４０は、モーターなどの駆動手段を利用して自動で操作することができ、その駆動手段を制御する制御線が函体１０の外部に延びることができる。このような自動制御の方式は、当業者レベルで多様に変更実施可能なもので、その自動制御のための構成は、本発明の他の構造を同一または類似に使用する限り本発明の範囲に属する。
【００２７】
回動部３０を回動またはチルティングさせ、光モジュール部２０の配光を調節する時、調整軸部４０の下部側の傾斜面１５が制限する領域内のみでチルティングが可能になる。このようなチルティングの制限は、複数の光モジュール部２０の配光が相互重なることを防止するためのものである。
【００２８】
しかしながら、以下に説明する本発明の他の実施形態でのように、光モジュール部２０の配光が相互重なることが許容されることができ、この時には、傾斜面１５のない形態を使用することができる。
【００２９】
このように一つの光モジュール部２０の配光を調節した後には、固定部５０を回転させてロックすることによって、回動部３０がこれ以上回動またはチルティングされないように固定させることができる。
【００３０】
固定部５０の構成は、結合溝１４に挿入され、その結合溝１４の螺子山に噛合される螺子構造が外径に設けられた挿入締結部５１と、挿入締結部５１の上部側に突出されており、上部面が中央へ行くほど段差が低くなる傾斜面を有するボディー５５と、ボディー５５の外径部の両端に結合され、上部側に高く形成されて作業者が容易に手で回転させることができる取手部５２が一体に設けられたものであり得る。
【００３１】
すなわち、固定部５０は、作業者が別途の工具を使用しなくても、手で外すかロックする調整が可能であり、配光の調整作業がより容易になる。
【００３２】
挿入締結部５１の底面側には、回動部３０で所定距離だけ離隔された位置で底面形状が円形に突出される下部段差部５３が設けられており、その下部段差部５３と回動部３０との間にはオーリング５４が位置する。
【００３３】
オーリング５４の内径は、球形である回動部３０の最大直径より小さいことが望ましく、防水効果を与えることができるだけでなく、固定部５０をロックした時、回動部３０をより一層硬く固定させる役割を果たし、その材質が通常の可撓性材料でなされて、固定部５０の浸りにより加圧されると、横に広がるように押さえられる状態を有するようになってその防水効果が高くなる。固定部５０が外された状態では、回動部３０の回動がより柔らかに実行されるようにする役割を果たすようになる。
【００３４】
光モジュール部２０は、断面が種形状の中空された内部を有するハウジング２１と、ハウジング２１の内側上部に設けられるドーナッツ型の基板２２と、基板２２の底面側に固定され光放出面が下へ向かうように設置されたＬＥＤ２３と、を含んで構成され得る。
【００３５】
このような光モジュール部２０の構造は、ＬＥＤ２３を使用する光モジュールの一般的な形態であり、本発明は、このような光モジュール部２０の具体的な形状に限定されずに、多様な変形の例を有することができる。例えば、本発明の光モジュール部２０は、ハウジング２１の内側面の傾斜角度やサイズにより限定されない。
【００３６】
基板２２に電源を供給するために光モジュール部２０に連結される調整軸部４０は、電線（図示せず）が挿入され得るように中空されたことが望ましく、その電線が函体１０の内で相互結線され函体１０外部の電線と連結されることができるようにするために、調整軸部４０の上部一部には引出孔４１が設けられることができる。函体１０には、機構的に支持台（図示せず）に結合固定可能な外部結合部１６が一側に設けられており、その外部結合部１６を通じて外部の電線が函体１０に連結されることができる。
【００３７】
この時、引出孔４１は、長孔として調整軸部４０の流動により電線が断線されるなどの問題が発生することを防止し、その電線により調整軸部４０のチルティング及び回動が制限されることを防止できるようになる。
【００３８】
図３は、上記のような配光の調節を通じて任意配光が調節された一実施状態の本発明の任意配光が可能な灯器具の底面図である。
【００３９】
図３を参照すると、本発明は、複数の光モジュール部２０それぞれの配光を受動または自動で調整することが可能であり、照明が要求される領域と照明が要求されない領域を区分して正確な配光の調節が可能になる。
【００４０】
従って、照明が要求されない領域である建物の室内、畑や田、果樹園などに不要な光が照射され光公害が誘発されることを防止できるようになる。
【００４１】
図４は、本発明の他の実施形態による任意配光が可能な灯器具の一部断面図である。
【００４２】
図４を参照すると、本発明の他の実施形態による任意配光が可能な灯器具は、函体１０の固定ホール１３の周辺の底部１２が平坦な構造であり、その底部１２の固定ホール１３の周辺に平面形状が円形である結合部１８が突出された構造である。
【００４３】
円筒形の結合部１８の内側面には、螺子山が設けられ、上述したように固定部５０の挿入締結部５１が回転結合され、その固定部５０の取手部５２を操作して挿入締結部５１の締結程度を調整して回動部３０をチルティング及び回動可能な状態または不可能な状態にすることができる。
【００４４】
この時、回動部３０と光モジュール部２０とを連結する調整軸部４０の周辺部には、図２を参照して説明した例で結合溝１４の底面傾斜面１５の構造がないために、チルティング角度が制限されなく、最大のチルティング角度で調整可能である。
【００４５】
このような構造は、本発明の任意配光が極端的に実行されることができることを示唆するもので、函体１０の設置角度に制限されなく、本発明の灯器具の配光を自由に調整することができる。
【００４６】
図５は、本発明の他の実施形態による一部断面の構成図である。
【００４７】
図５を参照すると、本発明の調整軸部４０は、回動部３０の上部側に突出され延びた図２の構成とは異なり、回動部３０と光モジュール部２０を連結し、その回動部３０の上部側には突出されない構造を有することができる。
【００４８】
この時、回動部３０を容易にチルティング及び回動させることができるように回動部３０の上部一部に凹凸パターン部３１を設けた形態として、作業者が指を凹凸パターン部３１に接触させ、その凹凸パターン部３１を摩擦させて回動部３０をチルティング及び回動させることができる構造である。
【００４９】
このような構造は、函体１０の厚さをより薄く製作できるようにするためのものである。
【００５０】
図６は、本発明の他の実施形態による一部断面の構成図である。
【００５１】
図６を参照すると、本発明は、回動部３０をチルティング及び回動可能な状態または不可能な状態に調節するために、図２などに示した固定部５０の構成以外にボルト型固定部６０を使用することができる。
【００５２】
この時、図４の結合部１８と類似の形態の結合部６１が設けられるもの、その結合部６１の内径側には螺子山が形成されていなく、側面に螺子ホールが設けられており、その螺子ホールに挿入された調整ボルト６２を調整して回動部３０を固定するか回動及びチルティングが可能な状態にすることができる。
【００５３】
図７は、本発明の他の実施形態による任意配光が可能な灯器具の構成図であり、図８は図７の側断面図である。
【００５４】
図７及び図８を各々参照すると、本発明の他の実施形態による任意配光が可能な灯器具は、締結板１７に設けられた固定ホールに上部一部が挿入され、締結板１７の上部側でナット１５０が締結され、締結板１７に平行した方向に回転可能な第１の回転部１００と、第１の回転部１００の下段部に回転可能に結合されるもの、締結板１７に直交する方向に回転することができ、下段に光モジュール部２０が固定される第２の回転部２００と、第１の回転部１００と第２の回転部２００の内部を通じて締結板１７の上部側から光モジュール部２０に連結され電源を供給することができる電線３００と、を含んで構成される。
【００５５】
第１の回転部１００及び第２の回転部２００は、上述した実施形態での回動部３０と同一の作用をするもので、第１の回転部１００及び第２の回転部２００を通称する場合は回動部と称する。
【００５６】
以下、上記のように構成される本発明の他の実施形態による任意配光が可能な灯器具の構成及び作用をより詳細に説明する。
【００５７】
まず、締結板１７は、上記回動部である第１の回転部１００及び第２の回転部２００により光モジュール部２０が回動できるように支持する支持体の役割を果たすもので、その光モジュール部２０の設置数量と同一の固定ホールが形成される。
【００５８】
締結板１７は、上述した実施形態で函体１０の底部１２に該当するもので、必ず、函体１０の底部１２に設置される必要はなく、板状の構造物であれば、設置可能である。
【００５９】
図９は、上記回動部の分解斜視図であり、図１０は、第１の回転部１００の底面図であり、図１１は、第１の回転部１００の側面図、図１２は、第２の回転部２００の底面図である。
【００６０】
以下では、図９乃至図１２を各々参照して各部の構成及び作用に対してより詳細に説明する。
【００６１】
まず、第１の回転部１００は、締結板１７の固定ホールに挿入される挿入管部１１０と、弧形の第１のガイド溝１２１が設けられ回転程度を確認することができ、底面に第１の目盛り部１２２が設けられた回転板１２０と、回転板１２０の底面から下向へ突出され、側面で第２の回転部２００が回転可能に締結できるようにする連結部１３０と、を含んで構成される。
【００６２】
第２の回転部２００は、連結部１３０の側面で固定螺子１４０の締め程度によって回動可能な状態または固定された状態で結合される回動連結部２１０と、回動連結部２１０を光モジュール部２０に固定する固定板２２０と、を含んで構成される。
【００６３】
回動連結部２１０には、回転中心に締結突出部２１２が突出されており、この締結突出部２１２は、連結部１３０の締結孔１３１に挿入された状態で固定螺子１４０が結合される。
【００６４】
この時、固定螺子１４０が緩く結合された状態で、回動連結部２１０は、締結板１７と直交する方向に回転可能であり、その下部側に固定板２２０により固定される光モジュール部２０を回転させることができる。
【００６５】
電線３００は、挿入管部１１０を通じて挿入され、連結部１３０に設けられたガイド突出部１３２を通じて第２の回転部２００の第２のガイド溝２１１に流入され、結局、通孔部２２２を通じて光モジュール部２０に連結され光モジュール部２０に電源を供給できるようになる。
【００６６】
第１の回転部１００の挿入管部１１０は、締結板１７の固定ホールに下部側から上部側に貫通挿入され、外側に締結螺子が設けられており、内側は、電線３００が挿入されることができるように管形状である。締結板１７の上部側に突出された挿入管部１１０は、ナット１５０で固定される。この時、ナット１５０は、締結板１７に第１の回転部１００を完全に密着固定させる目的でなく、第１の回転部１００が締結板１７に締結された状態を維持するためのものとして理解することができ、以下にボルト１６０を第１のガイド溝１２１を通じて締結板１７の底面に結合して回転が不可能な状態に硬く固定するようになる。
【００６７】
回転板１２０は、挿入管部１１０の直径に比べてより大きい直径を有し、挿入管部１１０と共に締結板１７に対して水平に回転することができる。挿入管部１１０を中心とする弧形の第１のガイド溝１２１が設けられている。
【００６８】
第１のガイド溝１２１は、１８０度の半円弧形にすることができ、その第１のガイド溝１２１に締結されるボルト１６０が緩く結合された状態で１８０度回転できる。このように１８０度が回転しても、第２の回転部２００が締結板１７に対して垂直方向に回転できるために、その第２の回転部２００の下部に結合された光モジュール部２０は、実質的に締結板１７と水平方向に１８０度回転可能な状態となる。
【００６９】
回転板１２０の底面には、第１のガイド溝１２１と回転板１２０のエッジの間に第１の目盛り部１２２が位置して、回転板１２０の回転程度を確認することができる。
【００７０】
回転板１２０の回転程度は、ボルト１６０の位置が基準となることができ、特にボルト１６０の一側で第１の目盛り部１２２に向かって突出される第１のインジケータ１６１を設けて正確な目盛りを確認することができるようにする。
【００７１】
連結部１３０は、回転板１２０の底面中央から下向に突出され、底面の形状が半球形である。
【００７２】
連結部１３０は、第２の回転部２００の回動連結部２１０が接して、固定螺子１４０により固定され、固定螺子１４０の締め程度によって第２の回転部２００が回転可能な状態または回転が不可能な固定状態になることができる。
【００７３】
このために、連結部１３０には、回動連結部２１０の回転中心位置に締結孔１３１が設けられており、回動連結部２１０には、締結孔１３１に挿入される締結突出部２１２が設けられている。上記固定螺子は、締結孔１３１の一側で締結孔１３１に挿入された締結突出部２１２に結合される。
【００７４】
回動連結部２１０は、締結突出部２１２を中心にして締結板１７と直交する方向に回転することができ、この時、回転をガイドするために締結突出部２１２を中心にする弧形の第２のガイド溝２１１が設けられている。
【００７５】
第２のガイド溝２１１は、回転のガイド役割だけでなく、電線３００を連結する通路としても使用される。第２のガイド溝２１１には、連結部１３０から突出されるガイド突出部１３２が挿入されて安定した回転が可能になる。
【００７６】
ガイド突出部１３２は、中央部が空きの円筒形の構造であり、挿入管部１１０を通じて挿入される電線３００が引出しされ、第２のガイド溝２１１を通じて光モジュール部２０に連結されるように構成される。
【００７７】
また回動連結部２１０の回転程度を確認することができるようにするために、連結部１３０には、第２の目盛り部１３３が設けられている。第２の目盛り部１３３の位置は、回動連結部２１０と接する連結部３１０の一面の反対面である。
【００７８】
正確な回動連結部２１０の回転程度の判断のために、回動連結部２１０の締結突出部２１２の下部側には、第２のインジケータ２１５が設けられている。
【００７９】
このような状態で、回動連結部２１０を含む第２の回転部２００と共に回転する光モジュール部２０の締結板１７の直交方向に回転する程度を容易に確認することができる。
【００８０】
光モジュール部２０は、放熱板を含むハウジングを具備することが一般的であり、簡単な締結構造では光照射角度の維持が容易でないことがある。すなわち、風や重力の作用により最初設置された角度から変位が起こることがある。これを防止するために、回動連結部２１０の締結突出部２１２と第２のインジケータ２１５との間に位置する挿入溝２１３が設けられており、その挿入溝２１３には回動制限部２１４が挿入固定される。
【００８１】
回動制限部２１４は、固定螺子１４０が締結される時、連結部１３０と回動連結部２１０との間の摩擦力を増加させて、風や重力により回動連結部２１０が回転することを防止するようになる。このような回動制限部２１４の具体的な構成は、以下により詳細に説明する。
【００８２】
回動制限部２４１の下部には、固定板２２０が設けられており、その固定板２２０は、固定孔２２１にボルトなどの結合手段が挿入され、固定板２２０の底面に光モジュール部２０を固定するようになる。
【００８３】
固定板２２０の底面には、第２のガイド溝２１１に連通される通孔部２２２が位置するようになり、したがって、電線３００が光モジュール部２０に連結されることができるようにする。通孔部２２２は、固定板２２０の底面に達する傾斜面２２５により露出されることがある。
【００８４】
固定板２２０の底面には、通孔部２２２の一部とエッジを連結する排水流路２２３、２２４が設けられている。排水流路２２３、２２４は、場合によって流入され得る雨水により電線３００が連結される光モジュール部２０に短絡状態が発生することを防止するためのものである。
【００８５】
実質的に、連結部１３０と回動連結部２１０が密着された状態であるために、雨水の流入はないと判断されるが、万に一つ、回動連結部３１０の第２のガイド溝２１１を通じて雨水が流入される場合、これを排出するために排水流路２２３、２２４を形成することが望ましい。
【００８６】
図１３は、回動制限部２１４の一実施の構成図である。
【００８７】
図１３を参照すると、回動制限部２１４は、回動連結部２１０の回転方向に向ける両端の中央部に第１及び第２の折曲部２１４−１、２１４−２が設けられた板状の構造である。この時、第１の折曲部２１４−１及び第２の折曲部２１４−２は、相互反対側に向けて折曲されており、これは、固定螺子１４０の締結によって第１の折曲部２１４−１及び第２の折曲部２１４−２が圧押され、その第１の折曲部２１４−１及び第２の折曲部２１４−２の復原力によって、連結部１３０と回動連結部２１０との間の摩擦力が増加して、風や重力により光モジュール部２０が結合された第２の回転部２００が回動することを防止する。
【００８８】
図１４は、回動制限部２１４の他の実施形態の構成図であり、図１５は、図１４におけるＡ−Ａ方向の断面の構成図である。
【００８９】
図１４及び図１５を参照すると、回動制限部２１４の他の実施形態は、板状の構造であり、その板の一部を切開して上向に折曲した第３の折曲部２１４−３と下向に折曲した第４の折曲部２１４−４で構成される。
【００９０】
このような構造も、第３の折曲部２１４−３及び第４の折曲部２１４−４により連結部１３０と回動連結部２１０との間の結合をより一層硬くすることができ、回動連結部２１０を含む第２の回転部２００が風や重力により回転することを防止するようになる。
【００９１】
上記のような構成によって本発明の他の実施形態による任意配光が可能な灯器具は、光モジュール部２０をすべての方向に回動させることが可能になって、照明の設置位置で周辺環境与件に符合する個別的な配光を有するように設置することが可能である。
【００９２】
本発明は上記実施形態に限定されず、本発明の技術的要旨を逸脱しない範囲内で多様に修正、変形されて実施できることは、本発明が属する技術分野で通常の知識を有する者において自明なものである。
【産業上の利用可能性】
【００９３】
本発明は、複数の照明モジュールを含む灯器具で、各照明モジュール別に配光を調節することができるようになり、照明が必要なところのみに配光がなされるようにすることができ、産業上利用可能性がある。
【符号の説明】
【００９４】
１０  函体
１１  上部被覆
１２  底部
１３  固定ホール
１４  結合溝
１５  傾斜面
１６  外部結合部
２０  光モジュール部
２１  ハウジング
２２  基板
２３  ＬＥＤ
３０  回動部
３１  凹凸パターン部
４０  調整軸部
４１  引出孔
５０  固定部
５１  挿入締結部
５２  取手部
５３  下部段差部
５４  オーリング
５５  ボディー
６０  ボルト型固定部
６１  結合部
６２  調整ボルト
１７  締結板
１００  第１の回転部
１１０  挿入管部
１２０  回転板
１２１  第１のガイド溝
１２２  第１の目盛り部
１３０  連結部
１３１  締結孔
１３２  ガイド突出部
１４０  固定螺子
１５０  ナット
１６０  ボルト
１６１  第１のインジケータ
２００  第２の回転部
２１０  回動連結部
２１１  第２のガイド溝
２１２  締結突出部
２１３  挿入溝
２１４  回動制限部
２１５  第２のインジケータ
２２０  固定板
２２１  固定孔
２２２  通孔部
２２３、２２４  排水流路
【図１】
0005851634.tif 000002
【図２】
0005851634.tif 000003
【図３】
0005851634.tif 000004
【図４】
0005851634.tif 000005
【図５】
0005851634.tif 000006
【図６】
0005851634.tif 000007
【図７】
0005851634.tif 000008
【図８】
0005851634.tif 000009
【図９】
0005851634.tif 000010
【図１０】
0005851634.tif 000011
【図１１】
0005851634.tif 000012
【図１２】
0005851634.tif 000013
【図１３】
0005851634.tif 000014
【図１４】
0005851634.tif 000015
【図１５】
0005851634.tif 000016